(57)【要約】【課題】  乗員にとって不快な車両吸出し音を低減し、車両走行時の快適性を向上させる。【解決手段】  ドア２におけるヒンジ部４及びラッチ構造５を結ぶ仮想線Ｌよりも車両上下方向において下方の領域（ドア押圧領域Ｐ）を、車内側から車外側に向けて押圧する。これにより、仮想線Ｌの軸回りにモーメントＮを発生させ、乗員の耳に比較的近いドア上方を車外側から車内側に押さえつける。【選択図】図１
2016107681.tif 000002
【特許請求の範囲】
【請求項１】
ドアを回動可能にボディに連結するヒンジ部と、車両前後方向において前記ヒンジ部とは反対側に配されて、閉扉時に前記ドアを前記ボディに係止させるラッチ構造と、を有する車両に搭載され、
前記ドアにおける前記ヒンジ部及び前記ラッチ構造を結ぶ仮想線よりも車両上下方向において下方の領域を、車内側から車外側に向けて押圧する押圧機構を具備する
ことを特徴とする車両吸出し音の低減装置。
【請求項２】
請求項１に記載の車両吸出し音の低減装置において、
前記押圧機構は、
車両上下方向において前記ドアの下端部を押圧する
ことを特徴とする車両吸出し音の低減装置。
【請求項３】
請求項１又は２に記載の車両吸出し音の低減装置において、
前記押圧機構は、
車両前後方向において前記ドアの前記ラッチ構造側の端部を押圧する
ことを特徴とする車両吸出し音の低減装置。
【請求項４】
請求項１から３の何れか一項に記載の車両吸出し音の低減装置において、
車速が所定の閾値以上である状況を検出し、前記状況において前記押圧機構を作動させる制御手段を更に具備する
ことを特徴とする車両吸出し音の低減装置。
【発明の詳細な説明】
【技術分野】
【０００１】
本発明は、乗員にとって不快な車両吸出し音を低減し、車両走行時の快適性を向上させるのに有用な車両吸出し音の低減装置に関する。
【背景技術】
【０００２】
車両走行時、空気がボディに沿って車両後方へ高速流動することで、ボディ側面に負圧が発生する。この負圧が原因となり、ドアを車外側へ引っ張る力が生じる。ドアとボディと密着性が失われると、走行車両内外の気圧差によって車内の空気が車外に吸い出され、乗員にとって不快となる音（車両吸出し音）が生じる。なかでも、乗員の耳に比較的近い位置で生じる車両吸出し音は、乗員に感知されやすく、快適性が損なわれる原因となりやすい。車速の増加に伴って車両吸出し音は大きくなるため、高速走行時、車両吸出し音によって乗員の快適性が損なわれる問題が顕著になる。
【０００３】
このため、車速が所定値以上である場合、ドアガラスを支持するガイドレールをドア厚さ方向内側に傾倒させる装置が提案されている（例えば、特許文献１参照）。特許文献１には、ドアガラスをドアガラス厚さ方向外側へ吸い出す力に抗してドアガラスを車内側へ傾倒させる力が作用する、車両走行時に良好なシール性能を確保できる、との記載がある。
【先行技術文献】
【特許文献】
【０００４】
【特許文献１】特開２００８−２５４７０６号公報
【発明の概要】
【発明が解決しようとする課題】
【０００５】
しかしながら、ガイドレールをドア厚さ方向内側に傾倒させる構成では、ドアガラスと、ドアガラスを保持するドアサッシュと、の密着性の向上しか期待できない。すなわち、ボディとドアとの間は、ボディ側に装着されるボディ側ウェザーストリップ（アウターウェザーストリップ）と、ドア側に装着されるドア側ウェザーストリップ（インナーウェザーストリップ）と、ドアガラスを保持するドアサッシュと、等の種々の部材が介在しているが、引用文献１では、車両走行時、このような部材同士の密着性を良好に確保することができない。このため、引用文献１では、依然として、乗員にとって不快な車両吸出し音の発生を抑制することができないという問題があった。
【０００６】
本発明は上記状況に鑑みてなされたもので、乗員にとって不快な車両吸出し音を低減し、車両走行時の快適性を向上させることができる車両吸出し音の低減装置を提供することを目的とする。
【課題を解決するための手段】
【０００７】
上記目的を達成するための請求項１に係る本発明の車両吸出し音の低減装置は、ドアを回動可能にボディに連結するヒンジ部と、車両前後方向において前記ヒンジ部とは反対側に配されて、閉扉時に前記ドアを前記ボディに係止させるラッチ構造と、を有する車両に搭載され、前記ドアにおける前記ヒンジ部及び前記ラッチ構造を結ぶ仮想線よりも車両上下方向において下方の領域を、車内側から車外側に向けて押圧する押圧機構を具備することを特徴とする。
【０００８】
請求項１に係る本発明では、上記の領域（以下「ドア押圧領域」と称することがある。）を車内側から車外側に向けて押圧するため、ヒンジ部及びラッチ構造を結ぶ仮想線の軸周りにモーメントを発生させることができる。そして、このモーメントを利用して、乗員の耳に比較的近いドア上方（上記の仮想線よりも車両上下方向において上方）を、車外側から車内側に押さえつけることができる。このため、車両走行時、例えば、ボディと、ボディ側ウェザーストリップと、ドア側ウェザーストリップと、ドアサッシュと、等の各部材同士の密着性を確保することができるようになる。よって、乗員にとって不快な車両吸出し音を低減でき、車両走行時の快適性を向上させることができる。
【０００９】
そして、請求項２に係る本発明の車両吸出し音の低減装置は、請求項１に記載の車両吸出し音の低減装置において、前記押圧機構は、車両上下方向において前記ドアの下端部を押圧することを特徴とする。
【００１０】
請求項２に係る本発明では、押圧機構がドアの下端部、すなわち、上記の仮想線から車両下方向に離れたドア押圧領域を押圧するため、上記のモーメントを効率よく発生させることができる。その結果、乗員にとって不快な車両吸出し音を効率よく低減でき、車両走行時の快適性を向上させやすくなる。
【００１１】
また、請求項３に係る本発明の車両吸出し音の低減装置は、請求項１又は２に記載の車両吸出し音の低減装置において、前記押圧機構は、車両前後方向において前記ドアの前記ラッチ構造側の端部を押圧することを特徴とする。
【００１２】
請求項３に係る本発明では、押圧機構がドアのラッチ構造側の端部、すなわち、ヒンジ部によってドアがボディに固定された側とは反対側の端部のドア押圧領域を押圧するため、上記のモーメントを効率よく発生させることができる。その結果、乗員にとって不快な車両吸出し音を効率よく低減でき、車両走行時の快適性を向上させやすくなる。
【００１３】
また、請求項４に係る本発明の車両吸出し音の低減装置は請求項１から３の何れか一項に記載の車両吸出し音の低減装置において、車速が所定の閾値以上である状況を検出し、前記状況において前記押圧機構を作動させる制御手段を更に具備することを特徴とする。
【００１４】
請求項４に係る本発明では、車両吸出し音によって乗員の快適性が損なわれる問題が顕著になる高速走行時に限り、押圧機構を作動させることができる。このため、高速走行時において乗員にとって車両吸出し音を低減できる上、低速時に押圧機構が不要に作動する状況を回避できるため、乗員の快適性を更に向上させることができる。
【発明の効果】
【００１５】
本発明の車両吸出し音の低減装置によれば、乗員にとって不快な車両吸出し音を低減し、車両走行時の快適性を向上させることができる。
【図面の簡単な説明】
【００１６】
【図１】本実施形態に係る車両の概略図である。
【図２】本実施形態に係る車両のドア上方の拡大側面図である。
【図３】本実施形態に係るドア押圧領域を説明する車両の側面図である。
【発明を実施するための形態】
【００１７】
以下、図面を参照して本発明の実施形態を説明する。ただし、以下の説明は、本発明の一態様を示すものであって、本発明の範囲内で任意に変更可能である。尚、各図において同じ符号を付したものは同一の部材を示している。
【００１８】
図１（ａ）〜（ｂ）は、本実施形態に係る車両吸出し音の低減装置を備えた車両の概略図である。
【００１９】
図１（ａ）に示すように、車両１は、ドア２を回動可能にボディ３に連結するヒンジ部４と、車両前後方向においてヒンジ部４とは反対側に配され、閉扉時にドア２をボディ３に係止させるラッチ構造５と、を有している（いわゆるヒンジドア構造）。図面ではフロントドアが示されているが、リアドアについても同様である。
【００２０】
ドア２のインナーパネル６には、ドアガラス７を保持するドアサッシュ８が一体に設けられている。ドアガラス７は、ドアサッシュ８の車内側に装着されたランチャンネル１２（図２等参照）に昇降可能に案内される。
【００２１】
ドア２と、フロントピラー及びルーフサイドレールの下面に亘るボディ３とには、ゴム製のウェザーストリップ９が装着されている。ウェザーストリップ９は、ボディ３の開口外周縁に設けられたボディ側ウェザーストリップ９ａと、開口外周縁に対応するようにドアサッシュ８に沿って設けられたドア側ウェザーストリップ９ｂと、からなる。これらの部材同士の密着により、車両１の気密性、水密性、遮音性等が確保される。識別しやすいように、図１においてウェザーストリップ９は太線で示してある。
【００２２】
ラッチ構造５は、ドア２側に設けられたラッチ（図示せず）と、ボディ３側に設けられ、ラッチが係脱可能なストライカー（図示せず）と、からなる。開扉時には、ラッチ構造の係止状態が解除にされ、ヒンジ部４を基点にドア２が回動操作される。閉扉時には、ドア２が閉じられてラッチ構造５が係止状態とされる。
【００２３】
ここで、車両１には、本実施形態に係る車両吸出し音の低減装置１０が設けられている。具体的には、ヒンジ部４及びラッチ構造５を車両前後方向に結ぶ仮想線Ｌ（図１（ａ）等に示す一点鎖線）よりも車両上下方向において下方の領域（ドア２のドアパネルの領域；「ドア押圧領域」とも称することがある。）を、ドア２におけるインナーパネル６やインナーパネル等とアウターパネルとで形成されるフランジ部に対し、車内側から車外側に向けて押圧する押圧機構１１が設けられている。押圧機構１１は、本実施形態に係る車両吸出し音の低減装置１０の一部を構成する。尚、図面においては、ドア押圧領域Ｐ（図１（ａ）等に示す点線領域）は、車両前後方向においてラッチ構造５側にあるが、前記の例に限定されない。
【００２４】
押圧機構１１によってドア押圧領域Ｐが押圧されることで、図１（ｂ）に示すように、上記の仮想線Ｌの軸周りにモーメントＮが発生する。このモーメントＮを利用して、乗員の耳に近い位置にあるドア上方（上記の仮想線Ｌよりも車両上下方向において上方）を、車外側から車内側に押さえつけることができる。
【００２５】
図２（ａ）〜（ｂ）は、車両吸出し音の低減装置を備えた車両のドア上方の拡大側面図（図１のＡ−Ａ線に準ずる断面図）である。このうち、図２（ａ）は、開扉時における各部の概略図であり、図２（ｂ）は、閉扉時における各部の概略図である。
【００２６】
図２（ａ）に示すように、ドアサッシュ８の車内側の縁部には、ランチャンネル１２が設けられている。ランチャンネル１２は、ドアガラス７の全閉時において、ドアガラス７とドアサッシュ８との間に介在する。ランチャンネル１２は、図２（ａ）〜（ｂ）において、ドアサッシュ８に沿って延在している。
【００２７】
ボディ３の一部をなすボディフランジ１３に、上記のボディ側ウェザーストリップ９ａが嵌合されている。ボディ側ウェザーストリップ９ａは、閉扉時にドアサッシュ８に接触するリップ部１４を有している。
【００２８】
また、ドアサッシュ８の一部をなすドアフランジ１５に、上記のドア側ウェザーストリップ９ｂが嵌合されている。ドア側ウェザーストリップ９ｂは、閉扉時にボディ３溝面に接触するリップ部１６を有している。
【００２９】
図２（ｂ）の二点鎖線に示すように、閉扉時において、ボディ側ウェザーストリップ９ａのリップ部１４がドアサッシュ８に押圧され、リップ部１４が弾性変形した状態でドアサッシュ８のインナー側に密着する。ドア側ウェザーストリップ９ｂのリップ部１６もボディ３溝面に押圧され、リップ部１６が弾性変形した状態でボディ３溝面に密着する。これらの部材同士の密着により、車両１の気密性、水密性、遮音性等が確保される。尚、本発明の範囲において各部の形状や配置は限定されない。
【００３０】
一方、車両走行時、空気がボディに沿って車両後方へ高速流動するため、ボディ側面に負圧が発生する。この負圧が原因となり、ドア全体を車内側から車外側へ引っ張る力（図２（ｂ）に示すＭ）が生じる。車速が増加するにつれて負圧が大きくなるため、特に高速走行時、ドアを車外側へ引っ張る力Ｍも大きくなる。特に、ヒンジ部４及びラッチ構造５が係止されていることにより、ドア２においてヒンジ部４及びラッチ構造５、又はヒンジ部４及びラッチ構造５を結ぶ仮想線Ｌから最も遠くに位置するドア２とボディ３のルーフサイドレールの下面との間の部分において、ウェザーストリップ９は、上記の引っ張る力Ｍの影響をより受けることとなる。
【００３１】
これに対し、車両１は、押圧機構１１を具備するため、上記のドア押圧領域Ｐを車内側から車外側に向けて押圧し、これにより、ヒンジ部４及びラッチ構造５を結ぶ仮想線の軸回りにモーメントＮを発生させることができる。すなわち、本実施形態によれば、ドアを車外側へ引っ張る力Ｍに抗して、乗員の耳に近い位置にあるドア上方（上記の仮想線Ｌよりも車両上下方向において上方）を車外側から車内側に押さえつけるモーメントＮを発生させることができる。
【００３２】
これにより、ボディ側面に発生する負圧が特に大きくなる高速走行時であっても、モーメントＮ（ドアを車外側へ引っ張る力Ｍに抗してドア上方を車内側へ傾斜させるモーメントＮ）により、ボディ３と、ボディ側ウェザーストリップ９ａと、ドア側ウェザーストリップ９ｂと、ドアガラス７を保持するドアサッシュ８と、等の各部材間に隙間が生じることを防止でき、各部材同士の密着性を確保することができるようになる。よって、乗員にとって不快な車両吸出し音を低減でき、車両走行時の快適性を向上させることができる。
【００３３】
尚、上記のドア押圧領域Ｐを車内側から車外側に向けて押圧することで、ドア下方（上記の仮想線Ｌよりも車両上下方向において下側）でのドア２とボディ３との密着性が失われる可能性を考慮することが望ましい。具体的には、押圧機構１１の作動を前提として、ドア押圧領域Ｐ周辺のドア２及びボディ３との間のウェザーストリップ９のシール性を前もって設定することが望ましい。また、かかるドア下方は、乗員の耳から比較的遠い。このため、この車両吸出し音が乗員に感知されることはほとんど無く、快適性が損なわれる原因にはならない。
【００３４】
押圧機構１１の一例としては、モーター等の駆動源を具備するとともに、この駆動源によってピンを前後にスライド可能に構成した機構（スライド型）が挙げられる。この型の押圧機構では、ピンをスライドさせてドア内側に当接させ、ドア押圧領域Ｐを押圧する。
【００３５】
押圧機構１１の他の例としては、ピンに螺旋状の溝を設けておき、このピンを駆動源によって回転させる機構（スクリュー型）が挙げられる。この型の押圧機構では、ピンを回転させて前後移動させることによりドア２内側に当接させ、ドア押圧領域Ｐを押圧する。
【００３６】
押圧機構１１の更に他の例としては、駆動源によってカムを回転可能に構成した機構（カム型）が挙げられる。この型の押圧機構では、カムを回転させることによりカム山をドア内側に当接させ、ドア押圧領域Ｐを押圧する。
【００３７】
ただし、押圧機構１１の具体的構成は前記の例に限定されない。押圧機構１１は、上記のドア押圧領域Ｐを車内側から車外側に向けて押圧する押圧部材と、この押圧部材を駆動させる駆動源と、を具備していればよい。押圧部材は、上記のスライドピン、スクリューピン及びカムに限定されない。駆動源は、上記のモーターに限定されない。
【００３８】
また、押圧機構１１の配置も、上記のドア押圧領域Ｐを車内側から車外側に向けて押圧することができる位置であれば限定されない、例えば、押圧機構１１は、座席の下方に配置することができる。また、ボディ３のフレームに所定の開口を形成し、この開口から押圧部材が突出するように配置することもできる。押圧機構１１の配置場所、大きさ、形状等は、種々に変形が可能である。押圧機構１１は１つに限られず、異なる押圧機構を複数備えるようにしてもよい。
【００３９】
更に、押圧機構１１がドア２の内側に当接する際の振動、磨耗、騒音等を防止するために、押圧機構１１やドア２の当接部分に緩衝部材（弾性体等）を設けてもよい。押圧機構１１の押圧力がドア押圧領域Ｐに確実に付与されるように、押圧機構１１のドア内側への当接部分の先端側を加工して当接領域を大きくしてもよい。この他、押圧機構１１のドア内側への当接部分を案内する加工を施してもよい。
【００４０】
図３は、本実施形態に係る車両吸出し音の低減装置の押圧機構１１が押圧するドア押圧領域を説明する車両の側面図である。ドア押圧領域Ｐは、ヒンジ部４及びラッチ構造５を結ぶ仮想線Ｌよりも車両上下方向において下側の領域であって、車両前後方向においてラッチ構造５側の領域Ｐ１のうち、何れかの領域である。
【００４１】
「ヒンジ部４及びラッチ構造５を結ぶ仮想線Ｌ」とは、ヒンジ部４及びラッチ構造５を直線で結んだときに得られる線をいう。ヒンジ部４が複数ある場合には、その中点位置が対象となる。ただし、複数あるヒンジ部のうち、最も下側にあるヒンジ部を対象にしてもよい。ラッチ構造５が複数ある場合についても同様である。
【００４２】
「車両前後方向においてラッチ構造側の領域」とは、ドア２の前後方向における、ルーフサイドレールの前端部よりも後方のラッチ構造５側の領域をいう。ドア２のヒンジ部４側は、該ヒンジ部４によって車両前後方向を軸とする回動が規制されている。一方、ドア２のラッチ構造５側は、閉扉時に係止状態にあるにしても、ドア２側のラッチと、ボディ３側のストライカーと、の間に多少の遊び空間がある。車両前後方向においてラッチ構造５側のドア押圧領域Ｐを押圧することで、この遊び空間の範囲で、閉扉時であっても仮想線Ｌを軸としてドア２を好適に回動させることができる。
【００４３】
ドア押圧領域Ｐは、例えば、車両上下方向において前記ドアの下端部Ｐ２である。下端部Ｐ２は、上記の仮想線Ｌから車両下方向に比較的離れており、また本実施形態におけるウェザーストリップ９が引っ張る力Ｍの影響をより受ける箇所（ドア２とボディ３のルーフサイドレールの下面との間の部分）とはドア上下方向において反対側に相当する箇所である。このため、かかる下端部Ｐ２を押圧することで、上記のモーメントＮを効率よく発生させることができる。
【００４４】
ここでいう下端部Ｐ２は、サイドシルに沿った車両上下方向におけるドア２の下端を概ね含んだ部分であればよい。下端部Ｐ２は、概ね、車両上下方向においてドア押圧領域Ｐ１の下１／４程度の領域である。
【００４５】
また、ドア押圧領域Ｐは、例えば、車両前後方向においてドア２のラッチ構造５側の端部Ｐ３である。このため、かかる端部Ｐ３を押圧することで、上記のモーメントＮを効率よく発生させることができる。
【００４６】
ここでいう端部Ｐ３は、車両上下方向に延びるＢピラー（センターピラーとも称される。）に沿っており、車両前後方向においてドア２のラッチ構造５側の末端を概ね含んだ部分であればよい。端部Ｐ３は、概ね、車両前後方向においてドア押圧領域Ｐ１の車両後方向１／４程度の領域である。
【００４７】
従って、ドア押圧領域Ｐとしては、ヒンジ部４及びラッチ構造５を結ぶ仮想線Ｌを設定したとき、負圧によってウェザーストリップ９を車外側へ引っ張る力Ｍの影響を最も受ける箇所と、上記の仮想線Ｌを介して逆の位置であるフランジ部（本実施形態における車幅方向でＢピラーと対向するドア２の後方下端部におけるインナーパネル６又はドアインナーパネルとアウターパネルとで形成されるフランジ部；上記の下端部Ｐ２及び端部Ｐ３が重なる領域）が最も好ましい。本実施形態の押圧機構１１も、かかる領域を車内側から車外側に押圧するように構成されている。ただし、ドア押圧領域Ｐは、上記の下端部Ｐ２や端部Ｐ３に重ならない領域であっても構わない。これまでフロントドアについて説明してきたが、リアドアについても同様に構成することができる。
【００４８】
ここで、本実施形態の車両吸出し音の低減装置１０は、車両速度が所定値以上である状況を検出し、状況において押圧機構１１を作動させる押圧機構作動制御手段（制御手段）を更に具備している。これにより、特に車両吸出し音によって乗員の快適性が損なわれる問題が顕著になる高速走行時に限り、押圧機構１１を作動させることができる。このため、高速走行時に車両吸出し音を低減できる上、低速時に押圧機構１１が不要に作動する状況を回避できる。
【００４９】
本実施形態に係る車両に搭載されたＥＣＵのうち、押圧機構作動制御に関連する部分は下記のとおりである。ＥＣＵは、車両１の各コンポーネントの制御を行うためのコントロールユニットであって、公知の構成からなるマイクロコンピュータを中心に構成されている。ＥＣＵは、車速検出手段と、押圧機構作動制御手段と、等を主要な要素として備えている。これらの各部は、具体的にはマイクロコンピュータによるプログラムの実行によって実現される。
【００５０】
車速検出手段は、公知の車速センサーからの信号を読み込んで車速Ｖを検出する。その他の信号を基に、車速Ｖを推定し、また車速Ｖを補正するようにしてもよい。押圧機構作動制御手段は、車速検出手段で検出された車速Ｖが所定の閾値Ｖｔ以上であるか否かを判断する。そして、車速Ｖが閾値Ｖｔ以上である場合、押圧機構１１の駆動源を作動させるための信号を生成し、この信号を押圧機構１１に送信する。
【００５１】
閾値Ｖｔは、例えば８０ｋｍ／ｈである。ただし、閾値Ｖｔは前記の例に限定されず、車両吸出し音によって乗員の快適性が損なわれる問題が顕著になる速度を任意に設定することができる。
【００５２】
本実施形態に係る車両吸出し音の低減装置の動作の一例としては、下記のとおりである。まず車速Ｖを検出する。その後車速Ｖが閾値Ｖｔ以上であるか否かを判断し、車速Ｖが閾値Ｖｔ以上である場合には押圧機構１１を作動させる。その後例えば、車速Ｖが閾値Ｖｔを下回ったことを検出し、押圧機構の作動を停止させる。尚、本動作は繰り返されるものである。
【００５３】
以上説明した車両吸出し音の低減装置１０によれば、上記のドア押圧領域Ｐを車内側から車外側に向けて押圧する押圧機構１１を具備するため、ヒンジ部４及びラッチ構造５を結ぶ仮想線Ｌの軸回りにモーメントＮを発生させることができる。そして、このモーメントＮを利用して、乗員の耳に近い位置にあるドア上方（上記の仮想線Ｌよりも車両上下方向において上方）を、車外側から車内側に押さえつけることができる。このため、車両の高速走行時であっても、例えば、ボディ３と、ボディ側ウェザーストリップ９ａと、ドア側ウェザーストリップ９ｂと、ドアサッシュ８と、等の各部材同士の密着性を確保することができる。よって、乗員にとって不快な車両吸出し音を低減でき、車両走行時の快適性を向上させることができる。
【産業上の利用可能性】
【００５４】
本発明は、乗員にとって不快な車両吸出し音を低減し、車両走行時の快適性を向上させるのに有用である。押圧機構によってドア押圧領域を車内側から車外側に向けて押圧し、モーメントを発生させ、これにより乗員の耳に近い位置にあるドア上方を車外側から車内側に押さえつける技術は、上記のヒンジドア構造に限られず、いわゆるスライドドア構造にも適用することができる
【符号の説明】
【００５５】
１  車両
２  ドア
３  ボディ
４  ヒンジ部
５  ラッチ構造
６  インナーパネル
７  ドアガラス
８  ドアサッシュ
９  ウェザーストリップ
９ａ  ボディ側ウェザーストリップ（アウターウェザーストリップ）
９ｂ  ドア側ウェザーストリップ（インナーウェザーストリップ）
１０  車両吸出し音の低減装置
１１  押圧機構
１２  ランチャンネル
１３  ボディフランジ
１４  リップ部
１５  ドアフランジ
１６  リップ部
【図１】
2016107681.tif 000003
【図２】
2016107681.tif 000004
【図３】
2016107681.tif 000005